(57)【特許請求の範囲】
【請求項１】
ループ状の金属ストラップと横バックルとを備えるクランプカラーであって、前記横バックルは、前記ストラップの第１端にて保持され、前記第１端の外側で、前記ストラップの第２端が前記第１端にかぶさって挿入され得る挿通路を形成し、このように挿入される前記ストラップの前記第２端は、くぼみ付けられることによって、前記横バックルを構成する少なくとも１つの要素および前記ストラップの前記第１端と連係し、それにより前記クランプカラーの直径が大きくなる方向に移動しないように保持されるように構成され、
前記横バックルは、２つの類似した、半径方向に突出し前記横バックルの２つの縦側部のそれぞれから伸びる外側タブを担持し、前記外側タブは、頭部を担持する柄部を有するフックの形状を有し、前記頭部の下に凹部（Ｄ）が形成され、前記ストラップの前記第２端が前記外側タブの前記柄部の間に挿入されることを可能とし、
前記外側タブのうちの少なくとも１つが内側リブを、当該外側タブの前記柄部と当該外側タブの前記頭部との間の接合部において有し、前記ストラップの前記第２端が前記外側タブの前記柄部の間の、前記柄部と前記横バックルの前記縦側部との接合部の近傍のみに挿入されるようにすることを特徴とするクランプカラー。
【請求項２】
前記フックの前記頭部は、実質的に前記ストラップの長さに沿って伸びる自由エッジを有することを特徴とする請求項１に記載のクランプカラー。
【請求項３】
前記挿通路は、前記横バックルの少なくとも１つの外側の壁部分によって規定される拘束区分を含み、前記外側の壁部分は、前記ストラップの前記第１端の外側の面の上方に位置し、前記外側タブは、前記外側の壁部分に対して縦方向にずれていることを特徴とする請求項１または２に記載のクランプカラー。
【請求項４】
前記外側タブは、前記外側の壁部分から切り欠きによって分離されていることを特徴とする請求項３に記載のクランプカラー。
【請求項５】
前記外側の壁部分および前記外側タブは、前記横バックルの縦エッジから伸び、前記縦エッジから横方向に測定される長さが同じであり、前記外側タブは、前記フックの柄部と前記頭部とを分ける縦折りライン（ｌｐ）を有することを特徴とする請求項４に記載のクランプカラー。
【請求項６】
前記外側の壁部分は、前記ストラップの前記第１端の外側に位置する自由縦エッジを有することを特徴とする請求項３〜５のいずれか１つに記載のクランプカラー。
【請求項７】
前記少なくとも１つの外側の壁部分の前記自由縦エッジは、フックを担持することを特徴とする請求項６に記載のクランプカラー。
【請求項８】
前記外側タブは、前記横バックルの横エッジの近傍に位置し、前記横エッジは、前記ストラップの前記第２端の自由先端からより遠くに位置する横エッジであることを特徴とする請求項１〜７のいずれか１つに記載のクランプカラー。
【請求項９】
前記２つの外側タブがそれぞれ内側リブを、当該外側タブの前記柄部と当該外側タブの前記頭部との間の接合部において有することを特徴とする請求項１〜８のいずれか１つに記載のクランプカラー。
【請求項１０】
前記ストラップの前記第１端は、前記横バックルと連係する側部突出部を有し、前記側部突出部は、前記ストラップの前記第１端が前記横バックルに対して、前記ストラップの前記第1端の自由先端が向く方向と反対の方向へ移動することを防止することを特徴とする請求項１〜９のいずれか１つに記載のクランプカラー。
【請求項１１】
前記横バックルは、少なくとも前記横バックルの外側部分において、前記クランプカラーの軸（Ａｘ）に垂直な前記ストラップの中心面（ＩＶ−ＩＶ）を中心として対称となることを特徴とする請求項１〜１０のいずれか１つに記載のクランプカラー。
【請求項１２】
前記横バックルは、前記ストラップの前記第１端の内側の面に対向して配置される内側部分を有し、前記内側部分は、前記ストラップの前記第１端の自由先端が向く方向と反対の方向に向く制止横エッジを有し、前記制止横エッジは、前記第１端に形成される制止後退部を規定する前記ストラップの前記第１端の制止横止め部と連係し、前記ストラップの前記第２端は、前記クランプカラーの直径が大きくなる方向に移動することを防止されるように保持されるくぼみ付け状態において、前記制止後退部において受け止められ、前記制止後退部の保持エッジと当接して連係する保持横止め部を有することを特徴とする請求項１〜１１のいずれか１つに記載のクランプカラー。
【請求項１３】
前記制止横エッジは、前記横バックルの前記内側部分の第１の自由端に位置する自由エッジであり、前記横バックルの前記内側部分の前記第１の自由端において、ノッチの、前記ストラップの前記第１端の自由先端が位置する側に形成されることを特徴とする請求項１２に記載のクランプカラー。
【請求項１４】
前記ストラップの前記第２端をくぼみ付けることによって、横切り込みによって規定される保持後退部が形成され、前記保持横止め部は、前記保持後退部の、前記ストラップの前記第１端の自由先端が位置する側に位置する前記切り込みの縁部上に形成されることを特徴とする請求項１２または１３に記載のクランプカラー。
【請求項１５】
前記横バックルの前記内側部分は、前記ストラップの前記第１端の前記自由先端側を向く増設制止横エッジを有し、前記増設制止横エッジは、前記第１端に形成される増設制止後退部を規定する前記ストラップの前記第１端の増設制止横止め部と連係することを特徴とする請求項１２〜１４のいずれか１つに記載のクランプカラー。
【請求項１６】
請求項１〜１５のいずれか１つに記載のクランプカラーを締め付けるための締め付け具であって、前記クランプカラーの前記横バックル上に位置付けられるように構成された頭部と、前記ストラップの前記第２端にくぼみ付けするように移動するように構成されたパンチを備え、前記頭部は、前記クランプカラーに対して前記締め付け具を位置付けるために、前記クランプカラーの前記横バックルによって担持される前記少なくとも１つの外側タブの少なくとも一部分を受け入れるための少なくとも１つの溝を有することを特徴とする締め付け具。
【請求項１７】
前記溝は、フック形状のスロットを備えることを特徴とする請求項１６に記載の締め付け具。
【発明の詳細な説明】
【技術分野】
【０００１】
本発明は、クランプカラーに関する。このクランプカラーは、ループ状の金属ストラップと、このストラップの第１端に保持される横バックルとを備える。横バックルは、第１端の外側に、ストラップの第２端を第１端にかぶさって挿入する挿通路を形成する。このように挿入されるストラップの第２端は、くぼみ付けられることによって、横バックルを構成する少なくとも１つの要素およびストラップの第１端と連係し、それによりカラーの直径が大きくなる方向に移動しないように保持されるように適切に構成される。
【背景技術】
【０００２】
そのような種類のカラーとして、例えば、特許文献１、特許文献２および特許文献３に記載のものが知られている。カラーを物品の回りに締め付けるためには、ストラップを物品の回りで一巡させた後、そしてストラップの第２端をバックル内の挿通路に挿入した後、牽引力を第２端にかけてカラーの直径を狭め、そして第２端にくぼみを付けることによって、第２端をバックルおよび／または第１端に対して保持する必要がある。一般に、くぼみ付け中またはその後で、第２端は、バックルの近傍で切り離される。
【０００３】
これらの操作は、カラーによってクランプされるべき物品の周囲において、小型で操作しやすい器具を使用して、その場で行われる必要がある。良好な締め付けを行うために、カラーが器具に対して適切に位置付けされることが重要である。特に、ストラップの第２端がくぼみ付けに適切となるように位置付けられることが重要である。
【０００４】
上記特許文献１および特許文献２において使用される器具は、カラーのストラップに対して正確には位置付けされない。特許文献３は、非常に模式的にしか表されていないが、バックルのエッジが載る基礎板を形成する下部突出部を有する側部（ｆｌａｎｋ）を有する器具を提案する。これは、バックルが非常に特異的な形状を有することを必要とする。なぜなら、バックルは、基礎板に載せることのできる、横方向に突出したエッジを有さなければいけないからである。さらに、器具の側部は、横方向に大きな容量の空間を占めるので、クランプ対象の物品の周囲が非常に乱雑となり、器具を使用することができなくなる場合が多い。
【先行技術文献】
【特許文献】
【０００５】
【特許文献１】欧州特許第１７７５２２０号明細書
【特許文献２】米国特許第５５６６７２６号明細書
【特許文献３】米国特許第７３７３６９５号明細書
【発明の概要】
【発明が解決しようとする課題】
【０００６】
本発明は、締め付け具に対して容易に精度よく位置付けることのできるカラーを提案することによって、従来技術の欠点の少なくとも一部を改善することを目的とする。
【課題を解決するための手段】
【０００７】
この目的は、バックルが少なくとも１つの半径方向に突出する外側タブを担持し、このタブが頭部を担持する柄部を有するフックの形状を有し、頭部の下に凹部が形成されるという特徴によって達成される。
【０００８】
外側タブは、簡単かつ横向きに小型であるように作製され得る。タブの頭部の下に形成される凹部を利用して、特にカラーを締め付けるための器具の一部であり得る位置付け部材を挿入することによって、器具を外側タブと連係させて、カラーが締め付けられるようにカラーを位置付けすることが可能である。この連係において、フックの柄部により、カラーの横向きの正確な位置付け（すなわち、ストラップに対して横向きの方向における位置付け）が容易となるとともに、頭部により、接線方向の良好な位置付け（すなわち、バックルを通るストラップの接線に平行な方向における位置付け）が容易となる。
【０００９】
一局面によると、フックの頭部は、実質的にストラップの長さに沿って伸びる自由エッジを有する。
【００１０】
このように、フックは、特に実現するのが簡単な形状を有する。
【００１１】
一局面によると、挿通路は、バックルの少なくとも１つの外側の壁部分によって規定される拘束区分を含み、外側の壁部分は、前記ストラップの第１端の外側の面の上方に位置し、外側タブは、外側の壁部分に対して縦方向にずれている。
【００１２】
このように、外側の壁部分は、拘束壁として十分に機能する。カラーの締め付け中にタブが変形または損傷したとしても、外側の壁部分によって実現された拘束の質には全く影響を与えない。
【００１３】
外側タブは、外側の壁部分から切り欠きによって分離されてもよい。この場合、特にタブの製造は簡単である。特に、外側タブおよび上記壁部分は、同じ基材壁を第１の部分および第２の部分を形成するように横方向に切り抜き、第１の部分を適切に折って壁部分を形成し、第２の部分を異なる折り方で折って外側タブを形成する。
【００１４】
一局面によると、外側タブは、バックルの横エッジの近傍に位置し、この横エッジは、ストラップの第２端の自由先端からより遠くに位置する横エッジである。
【００１５】
このように、外側タブは、ストラップの第２端を切り離す際に障害や邪魔とならず、この切り離しは、タブからより遠い側のバックルの横エッジの直ぐ近傍において、非常にきれいに行うことができる。同様に、ストラップの第２端を保持することによってカラーの締め付け状態を維持するためのくぼみ付けは、バックルの中央の近傍、またはタブからより遠い側の横エッジの近傍で、上記タブが障害や邪魔となることなく、精度よく行われ得る。
【００１６】
一局面によると、バックルは、２つの類似した、半径方向に突出する外側タブを有し、これらの外側タブは、バックルの２つの縦側部のそれぞれから伸び、ストラップの第２端がタブの柄部の間に挿入され得る。
【００１７】
これにより、カラーを締め付け具に対して横方向に制止することがさらに容易となる。
【００１８】
一局面によると、カラーは、ストラップの第２端がタブの柄部の間の、柄部とバックルの縦側部との接合部の近傍のみに挿入されるようにするための手段を有する。
【００１９】
これらの手段は、割出し型手段を構成する。これにより、カラーがクランプ対象の物品の回りで閉じられている場合に、実際にはストラップの第２端がタブ間に係合しているだけであり、実際に締め付けを達成するために機能するバックルの部分（たとえば、上記拘束区分を規定する壁部分）と係合していないにもかかわらず、カラーが正しく閉じられているように見えることを回避する。
【００２０】
一局面によると、タブのうちの少なくとも１つ、好ましくは２つのタブのうちのそれぞれは、内側リブを、タブの柄部とタブの頭部との間の接合部において有する。
【００２１】
このリブは、２つの利点を提供する。第１に、リブにより、外側タブがその柄部および頭部の接合部において強固となる。したがって、ストラップの第２端をくぼみ付けするには非常に大きな力が必要となり得るが、カラーを締め付けながら適切な位置に維持することが容易となる。さらに、リブは、そのサイズが適切であれば、上記割出し機能を提供するように機能し得る。
【００２２】
一局面によると、バックルは、ストラップの第１端の内側の面に対向して配置される内側部分を有し、この内側部分は、ストラップの第１端の自由先端が向く方向と反対の方向に向く制止横エッジを有し、この制止横エッジは、ストラップの第１端に形成される制止後退部を規定するストラップの第１端の制止横止め部と連係し、ストラップの第２端は、カラーの直径が大きくなる方向に移動することを防止されるように保持されるくぼみ付け状態において、制止後退部において受け止められ、制止後退部の保持エッジと当接して連係する保持横止め部を有する。
【００２３】
この場合、ストラップの第１端は、制止エッジと制止止め部との連係によって、バックルに対して制止される。ストラップの第２端のくぼみ付けは、保持止め部を形成し、この保持止め部は、バックルではなく、制止後退部の保持エッジと連係する。制止後退部の保持エッジ自体は、ストラップの第１端にて形成される。言い換えると、カラーは、その第１端がその第２端と直接連係することによって締め付けられる。したがって、締め付け状態において、大きな力は、バックルにはかからずに、ストラップの両端間に直接かかる。これにより、カラーの耐用期間にわたり、その締め付けが悪化する危険は制限される。
【図面の簡単な説明】
【００２４】
以下の発明を実施するための形態を読めば本発明が十分に理解され、その利点がより明瞭となる。実施形態は、例を用いて説明するが、その例に限定されない。説明において、添付の図面を参照する。
【００２５】
【図１】図１は、本発明のクランプカラーの締め付け前の斜視図である。
【図２】図２は、図１のカラーの締め付け後の部分斜視図である。
【図３】図３は、図１および図２のカラーのストラップの内側の面の、横バックルの近傍における斜視図である。
【図４】図４は、図２の断面ＩＶ−ＩＶに沿った断面図である。
【図５】図５は、それより前の図のカラーがその締め付け具とどのように連係するかを示す模式的側面図である。
【図６】図６は、図５の矢印ＶＩに沿って見た端面図である。
【図７】図７は、変形例における、横バックルを担持するカラーのストラップの第１端を示す部分斜視図である。
【発明を実施するための形態】
【００２６】
本明細書において、用語「内側」は、カラーによって規定される円の幾何学的中心Ｃに対してより近くに位置する要素を説明するために使用される。他方、用語「外側」は、中心Ｃからより遠くに位置する要素を説明するために使用される。さらに、用語「縦」は、ストラップの長さに沿って伸びる要素、すなわち、図に示すようにストラップが一巡してそれ自体に重なる場合に、そのループ方向に伸びる要素を説明するために使用される。用語「横」は、上記長さに垂直に、すなわち、ストラップの幅にわたって伸びる要素を説明するために使用される。
【００２７】
まず、図１および図３について説明する。図１および図３からわかるように、クランプカラーは、ループ状の金属ストラップ１０と、このストラップの第１端１０Ａにて保持される横バックル１２とを備える。図１および図２からより明らかにわかるように、第１端１０Ａの外側に、バックル１２は、第２端１０Ｂが挿入される挿通路１３を形成する。
【００２８】
本明細書において、ストラップの「第１端」は、バックルと連係する第１端の全区分を意味する。同様に、「第２端」は、バックルと連係する第２端の全区分を意味する。
【００２９】
図３からより明らかにわかるように、バックル１２は、ストラップ１０の第１端１０Ａの内側の面に対向して配置された内側部分１４を有する。外側において、バックルは、２つの外側の壁部分、それぞれ１５Ａおよび１５Ｂ、を有する。各外側の壁部分は、内側部分１４の対応する縦エッジから折り返されている。これらの外側の壁部分は、ストラップ１０の第１端１０Ａの外側の面の上方に位置する舌状部分を形成する。これらの折り返し舌状部分の内側の面とストラップの第１端１０Ａの外側の面との間に半径方向に規定される空間は、挿通路１３の拘束区分を形成する。この区分にストラップの第２端１０Ｂが通される。「拘束区分」の概念は、上記空間の半径方向の高さがストラップの第２端１０Ｂをこの空間に挿入するのにちょうど十分な高さであって、第２端が半径方向を外向きに移動しないように保持されることを意味する。
【００３０】
特に図３および４からわかるように、第１端１０Ａは、第１端に対するバックルの制止に寄与する制止後退部１６を有する。図４からよりよくわかるように、この制止後退部１６は、バックル１２の内側部分の制止横エッジ１４Ａと連係する制止横止め部１６Ａを有する。図示の例において、このエッジおよびこの止め部は、直線状であり、ストラップに対して横方向に伸びている。このように、止め部１６Ａとエッジ１４Ａとの連係により、ストラップの第１端１０Ａがバックル１２に対してＦ方向（図４参照）に移動することが防止される。
【００３１】
ストラップの第１端１０Ａを反対方向に保持するために、上記手段と類似する手段を使用する。そうするために、図示の例において、バックル１２の内側部分１４は、増設制止横エッジ１４Ｂを有する。増設制止横エッジ１４Ｂは、ストラップの第１端１０Ａの自由先端１０’Ａ側を向き、ストラップの第１端における増設制止横止め部１６’Ａと連係する。この増設制止横止め部は、上記第１端において形成される増設制止後退部１６’を規定する。
【００３２】
増設制止横止め部１６’Ａおよび増設制止後退部１６’は、バックルの内側部分の横中心線Ｌを中心にして、制止横止め部１６Ａおよび制止後退部１６に対して略対称である。止め部１６’Ａとエッジ１４Ｂとの連係により、ストラップの第１端１０Ａがバックル１２に対して図４に示す方向Ｆと反対の方向に移動することが防止される。
【００３３】
カラーが締め付け状態にある場合、挿通路１３に挿入されたストラップの第２端は、くぼみ付けされることによって、横バックル１２を構成する要素のうちの少なくとも１つおよびストラップ１０の第１端１０Ａと連係し、それによりカラーの直径が大きくなる方向に移動することが防止されるように保持される。
【００３４】
図１は、第２端１０Ｂが挿通路１３に挿入された場合であって、くぼみ付けされる前の状態を示す。図２および図４は、くぼみ付けが行われた後の状態を示す。
【００３５】
この例において、図４からより明瞭にわかるように、ストラップの第２端１０Ｂは、制止後退部１６において受け止められる保持横止め部１１を有する。この保持横止め部は、制止後退部１６の保持エッジ１７Ａと当接して連係する。保持止め部１１と保持エッジ１７Ａとの連係によって、ストラップの第２端１０Ｂが第１端１０Ａに対して図４において矢印Ｆによって示される方向に移動することが防止されることが理解され得る。言い換えると、カラーが一旦締め付けられると、この連係によって、カラーの緩みが防止される。
【００３６】
ストラップの第２端１０Ｂをくぼみ付けすることによって、ストラップの第２端１０Ｂの内側の面上に突出部を形成する保持後退部１１’が形成される。保持横止め部１１は、この保持後退部１１’を規定する。図４からわかるように、保持後退部は、制止後退部１６において受け止められる。
【００３７】
保持後退部１１’は、横切り込みによって規定される。保持止め部１１は、保持後退部１１’の後ろに位置する、この切り込みの縁部（ｌｉｐ）上に形成される。切り込みの縁部は、ストラップの第２端の自由先端１０’Ｂが向く方向と反対の方向に向く。
【００３８】
この例において、制止後退部１６は、皿部を形成する。この皿部の側部のうちの１つは、後退部１６の外側にあるその面上で制止止め部１６Ａを形成し、後退部の内側にあるその面上で保持エッジ１７Ａを形成する。「内側」および「外側」の上記に定義した概念とは別に、後退部の内側および外側の面は、後退部自体に対して定義される。
【００３９】
図３からより明瞭にわかるように、制止横エッジ１４Ａは、バックル１２の内側部分１４の第１の自由端１２Ａ上に位置する自由エッジである。より詳細には、この例において、制止横エッジ１４Ａは、上記第１の自由端１２Ａにおいて、ノッチ１９の後ろに形成される。制止後退部１６は、ノッチにおいて受け入れられ、そのスロットの両側にある、突出する枝部１９Ａおよび１９Ｂが制止後退部１６の両側に位置する。
【００４０】
図３からわかるように、後退部１６の内側の面は、ノッチの後ろの近傍において、バックルの内側部分１４の内側の面の半径方向の高さから進み、ノッチ１９の後ろから離れるにつれ徐々にストラップの平面に戻ることにより、ストラップの内側の面において急峻なショルダーを形成しないようにする。
【００４１】
逆に、図からわかるように、バックル１２の内側部分の自由端１２Ａに位置するストラップの第１端は、内向きに伸びるショルダー２３を形成するので、このショルダーのストラップの自由先端１０’Ａからより遠い側に位置するストラップの内側の面がバックル１２の内側の面と実質的に同一線上に位置するようになる。半径方向に測定されるショルダーの高さは、バックルの内側部分１４の厚さＥｂに実施的に一致する。
【００４２】
制止横エッジ１４Ａと同様に、増設制止横エッジ１４Ｂは、バックルの自由エッジであるが、バックルの内側部分１４の第１の自由端１２Ａと反対の第２の自由端１２Ｂに位置する。また、この増設制止エッジ１４Ｂは、バックルの内側部分１４の第２の自由端１２Ｂにおいて、ノッチ１９’の後ろに形成される。このノッチの両側には、縦に突出する枝部１９’Ａおよび１９’Ｂがある。
【００４３】
また、図からわかるように、バックルの内側部分１４の第２の自由端１２Ｂにおいて、ストラップの第１端１０Ａは、側部突出部２１Ａ、２１Ｂを有する。これらの突出部は、ストラップの第１端を部分的にパンチすることによって形成される。パンチによって材料が横方向を外向きに押し出される。側部突出部２１Ａ、２１Ｂは、側部「出張り」を形成する。バックルの自由端１２’Ｂは、側部「出張り」と連係する。側部突出部２１Ａ、２１Ｂは、ストラップの第１端の保持に寄与し、ストラップの第１端がバックル１２に対して矢印Ｆによって示される方向と反対の方向へ移動することを防止する。このように、図示の例において、ストラップの第１端をバックルに対して矢印Ｆの方向と反対の方向において保持するために、上記側部突出部２１Ａおよび２１Ｂだけでなく、増設制止横エッジ１４Ｂと連係する増設制止横止め部１６’Ａが使用される。
【００４４】
これにより、カラーの締め付け中にかかる力に対して非常に高い耐性を得ることができる。締め付け中に、最小のクランプ直径が得られるように牽引力をストラップの第２端にかける場合には、締め付け具をバックル１２に押し付けてもよく、したがって、バックルがストラップに対して確実に保持されることが重要である。
【００４５】
もちろん、側部突出部２１Ａおよび２１Ｂだけによって方向Ｆと反対の方向に保持することも可能であり、また横止め部１６’Ａと横エッジ１４Ｂとの連係だけによって保持することも可能である。また、当業者によって利用可能な他の形式の保持方法を選択することも可能である。
【００４６】
さらに、ストラップの第２端の締め付けを維持するように機能するストラップの第２端のくぼみ付けについての利点を示す例を説明する。この例において、精度のよい保持が達成され、カラーが締め付け状態にある場合にストラップにかかる牽引力が、バックル１２を関与させることなく、「重なり合ったストラップ（ｓｔｒａｐ−ｏｎ−ｓｔｒａｐ）」により確実にかかるようにする。しかし、また、本発明は、ストラップの第２端を保持する他の可能な技術に適用される。例えば、ストラップの第２端１０Ｂのくぼみ付けは、欧州特許第１７７５２２０号明細書（バックルの内側部分における開口を使用することによる）、米国特許第７３７３６９５号明細書、または仏国特許第２５４２３８８号明細書に記載のように行ってもよい。
【００４７】
本発明によると、バックル１２は、少なくとも１つの半径方向に突出するフック形状の外側タブを備える。このタブの頭部の下に凹部が形成される。
【００４８】
この例において、バックル１２は、半径方向に突出する、この種の２つの外側タブ２０および２２を有する。各タブは、柄部（それぞれ２０Ａおよび２２Ａ）および頭部（それぞれ２０Ｂおよび２２Ｂ）を有するフックの形態であり、頭部２０Ｂおよび２２Ｂの下に凹部Ｄが形成される（図４を参照）。この凹部は、挿通路１３の一区分を形成し、ストラップの第２端１０Ｂは、フックの頭部２０Ｂおよび２２Ｂの下を通る。しかし、上記のように、ストラップの第２端１０Ｂが半径方向を外向きに移動することを防止するようにストラップの第２端１０Ｂを保持するように機能するのは、折り返し舌状部分１５Ａおよび１５Ｂの形態を有するこの挿通路の拘束区分である。
【００４９】
この例において、頭部は、縦に伸びる自由エッジ２０’Ｂ、２２’Ｂを有する。柄部は、バックルの両側で、その内側部分１４の縦エッジから互いに面するように伸び、ストラップの第２端１０Ｂは、それら柄部の間を通って挿通路１３の拘束区分に入る。
【００５０】
外側タブ２０および２２は、上記外側の壁部分１５Ａおよび１５Ｂに対して縦方向にずれている。外側の壁部分１５Ａまたは１５Ｂおよび対応する外側タブ２０Ａまたは２０Ｂは、バックル１２の縦エッジから伸び、このエッジから横方向に測定される長さが同じである。外側タブは、フックの柄部２０Ａ（または２２Ａ）と頭部２０Ｂ（または２２Ｂ）とを分ける縦折りラインｌｐを有する。もちろん、タブ２０Ａまたは２０Ｂの長さは、タブがストラップに取り付けられた場所から開始して、タブの自由エッジ２０’Ａ（または２０’Ｂ）へ到達する破線に沿って、ストラップの横方向にタブに沿って測定される。
【００５１】
外側の壁部分１５Ａ（または１５Ｂ）は、ストラップの第１端１０Ａの外側に位置する自由縦エッジ１５’Ａ（または１５’Ｂ）を有する。
【００５２】
例えば、外側の壁部分１５Ａまたは１５Ｂが形成されるバックル１２の各舌状部分は、最初はタブ２０または２２と一体となっていてもよい。１つの横切り欠きによってタブを壁部分から分離し、この壁部分をバックル１２の内側部分１４と平行になるまで折り返し、他方タブをフック形状にする。
【００５３】
少なくともその外側部分において、バックル１２は、カラーの軸Ａｘに垂直なストラップ１０の中心面ＩＶ−ＩＶを中心にして対称である。この例において、さらにバックルの内側部分１４も中心面ＩＶ−ＩＶを中心にして対称である。
【００５４】
タブ２０および２２は、カラーおよびそれを締め付けるように機能する器具が互いに対して正しく位置付けられることを確実にするために機能する。これは、図５および図６からより明瞭に理解され得る。図５および図６は、カラーがそれを締め付けるように機能する器具とどのように連係するかを示す。
【００５５】
簡略のために、器具の頭部の機能部分のみを示す。より詳細については、例えば、仏国特許第２５４２３８８号明細書を参照のこと。
【００５６】
器具は、カラーの横バックル１２上に位置付けられるように適切に構成された頭部３２と、ストラップ１０の第２端１０Ｂをくぼみ付けするように移動するように適切に構成されたパンチ３３を含む。頭部３２は、少なくとも１つの溝３４を備える。この少なくとも１つの溝３４は、カラーのバックル１２によって担持される上記少なくとも１つの外側タブ２０、２２の少なくとも一部分を受け入れ、それにより器具をカラーに対して位置付ける。溝は、フック形状のスロットを備えてもよい。
【００５７】
図５および６に示す器具３０の部分は、その頭部３２およびそのパンチ３３を備える。パンチ３３は、作動システムＭによって、チャネル３１内を移動し、カラーのストラップの第２端１０Ｂにくぼみをつけ、保持止め部を形成する。図５において、矢印Ａによって示される方向にパンチ３３がくぼみを付けるように移動する場合の、カラーのストラップに接触する際のパンチ３３が示される。
【００５８】
カラーは、その第２端に牽引力が（図示しない手段によって）かけられることによって締め付けられ、同時に器具の頭部は、バックル１２を支持する。所望のレベルの締め付けが一旦得られると、くぼみ付けを行うようにパンチ３３を移動させる。なお、パンチ３３の頭部３３Ａは、面取りされ、横切断スパイク３３’Ａを有し、同時に保持止め部１１および保持後退部１１’を形成する。
【００５９】
上記のように、タブ２０および２２は、器具およびカラーを互いに対して位置付けるように機能する。また、タブ２０および２２は、パンチがくぼみ付けを行う方向Ｖに垂直な平面にバックルを位置付けることが可能である。
【００６０】
より詳細には、タブ２０および２２は、側部後退部３４によって形成される溝に少なくとも部分的に挿入される。より詳細には、タブによって形成されるフックの頭部２０Ｂおよび２２Ｂが後退部３４に貫入する。このように、フックの頭部の内側の面は、それに面するように位置する後退部３４の面と連係し、それにより器具がカラーに対して図６において矢印Ｈによって示される方向に移動することを防止する。
【００６１】
さらに、２つのタブ２０および２２がバックル１２のそれぞれ対応の縦エッジ上（すなわち、カラーの両側の縦エッジ上）に位置する状態で存在する限り、後退部３４に対して内側（カラーの中心に向いて）に位置する器具の頭部の中心部分３６は、タブ２０および２２によって形成されるフックの柄部２０Ａおよび２２Ａの間において制止される。これにより、器具が方向ｌにおいてカラーに対して横方向に移動することを防止できる。なお、器具の頭部は、この頭部の側部上で後退部３４を閉じる側板（ｃｈｅｅｋ  ｐｌａｔｅ）３８を有することにより、タブを受け入れるための溝がフック形状のスロットの形態を取ってもよい。これらの側板３８は、図６に示されており、そのうちの１つが図５において一点鎖線によって描かれている。
【００６２】
上記のカラーにおいて、バックル１２は、適切に切り抜かれ、折り返された金属のブランク部材から形成される。この例において、バックル形状にされた、このブランク部材の「接合平面」は、カラーの外側の、折り返し舌状部分１５Ａおよび１５Ｂ間に位置する。この例において、舌状部分の縦端（自由縦エッジ）１５’Ａ、１５’Ｂは、幅Ｅの間隔をあけて配置される。第一に、これにより、バックルを形成するための材料を節約することができる。第二に、図６からわかるように、これにより、器具をカラーに対して制止することを容易化できる。このように、器具の頭部３２の中心部分３６は、舌状部分１５Ａおよび１５Ｂの自由端の間に形成された空間に収まる、内向きに突出する中心リブ３６Ａを有するので、カラーのストラップの第２端１０Ｂと直接に連係することができる。反対に、後退部３４の内側において、中心リブ３６Ａの両側で伸びる側部突出部は、折り返し舌状部分１５Ａおよび１５Ｂと直接に連係する。
【００６３】
再びタブ２０および２２について説明すると、タブ２０および２２は、柄部と頭部との間の接合部に内側リブ２０Ｃおよび２２Ｃをそれぞれ有することがわかる。内側リブの厚さは、頭部へ向かって大きくなる。例えば、これは、半径方向に対して実質的に４５度に傾き、タブの内側に向かって突出するガセットによって実現できる。このように、フックの頭部の近傍におけるリブは、その間の間隔を、ストラップの第２端１０Ｂの幅より小さく規定する。これにより、使用者が単に第２端をタブ２０および２２間に挿入することによってカラーが閉じられたと考えることを回避できる。使用者がそうしようとすると、上記内側リブの形状は、自然に第２端を内向きに（カラーの中心Ｃへ向って）、すなわち、折り返し舌状部分１５Ａおよび１５Ｂの下で、挿通路１３の拘束区分内に移動させる。言い換えると、リブ２０Ｃ、２２Ｃは、ストラップの第２端１０Ｂが、タブの柄部２０Ａ、２２Ａ間の、この柄部とバックル１２の縦側部との間の接合の近傍においてのみに挿入されることを可能にするための手段を形成する。
【００６４】
図７において、それより前の図で使用した同じ参照符号に１００を足したものを使用して、対応の要素を示す。
【００６５】
この図に示す変形例において、上記少なくとも１つの外側の壁部分の自由縦エッジは、フックを担持する。
【００６６】
より詳細には、この図からわかるように、ストラップ１１０の第１端は、横バックル１１２を担持する。横バックル１１２は、外側の壁部分１１５Ａおよび１１５Ｂの自由縦エッジが半径方向を外向きに伸びるように立ち上がるフック１５１Ａおよび１５１Ｂを担持することを除いて、先行する図のバックル１２と実質的に類似する。これらのフックは、バックルをカラーのストラップから外すために機能する。「サークリップ（ｃｉｒｃｌｉｐ）」タイプのプライヤなどの取り外し器具を頭部の下に設けられた空間に挿入して操作することによって、フックを下から支えることによって、器具は、外側の壁部分１１５Ａおよび１１５Ｂを遠ざけるように移動させて、ストラップに対してバックルを緩めることができる。
【００６７】
図をより明瞭にするために、図７は、ストラップの第２端がバックル１１２によって第１端の外側の面上に形成された挿通路に挿入されていない開放状態のカラーを示す。第２端が上記挿通路に係合されると、第２端は、外側タブ１２０および１２２の下および壁部分１１５Ａ、１１５Ｂの下に位置し、したがってまた、フック１５１Ａおよび１５１Ｂの下に位置する。
【００６８】
一般に、バックルを外すことによってカラーを外す必要が生じ得るのは、カラーが閉じられ、締め付けられた場合である。例えばプライヤタイプなどの器具がフック１５１Ａ、１５１Ｂの下に挿入されることによって、フックをストラップから引き離して、壁部分１１５Ａおよび１１５Ｂを開放することができる。上記のように、外側タブ１２０および１２２は、切り欠きによって上記壁部分から分離される。これにより、遠ざけるように移動させた壁部分１１５Ａおよび１１５Ｂは、外側タブの位置に影響を与えないので、外側タブは、ストラップの第２端の外側の面の上方で元の位置に留まる。外側タブの頭部の下に形成された隙間は、先行の図において示す例よりも小さくてもよい。このように、壁部分１１５Ａおよび１１５Ｂが一旦遠ざかるように移動すると、ストラップの第２端は、外側タブの頭部の下に留まり、頭部に対向して配置される傾向がある。これにより、バックルは、緩むが、ストラップ上に一時的に保持される。これにより、バックルが一旦外された場合に、バックルがストラップから離れたり、床または地面に落下することが防止される。バックルを積極的にストラップから外すためには、バックルを把持しながら、ストラップの第２端をスライドさせて、カラーを開放すればよい。
【００６９】
なお、フック１５１Ａおよび１５１Ｂは、外側タブ１２０および１２２より半径方向に大きく突出し、フック１５１Ａおよび１５１Ｂの間隔は、外側タブの間隔と比較して、小さい。これらの差異により、割出し効果を与え、カラーを締め付け具に対して位置付けするためのフックの使用を図ることを回避し、外側タブに作用してバックルを外すことを図ることを回避する。
【図１】
0006709739.tif 000002
【図２】
0006709739.tif 000003
【図３】
0006709739.tif 000004
【図４】
0006709739.tif 000005
【図５】
0006709739.tif 000006
【図６】
0006709739.tif 000007
【図７】
0006709739.tif 000008